(57)【特許請求の範囲】
【請求項１】
情報送信ユニットと電話機とからなる通信システムであって、
前記情報送信ユニットは、
予め記憶された、広告商品に関するホームページのホームページアドレスを物体の存在を認識した場合に一定時間だけ送信し、
前記電話機は、
受信開始を指示されたときのみ、前記広告商品に関するホームページのホームページアドレスを前記情報送信ユニットから受信し登録する受信手段と、
予め登録されたアクセスポイントに発信し、前記アクセスポイントに接続する発信手段と、
前記アクセスポイントに接続された後、前記アクセスポイントを介して、前記受信手段によって登録された前記広告商品に関するホームページにアクセスするアクセス手段と、
を具備する、
ことを特徴とする通信システム。
【請求項２】
請求項１記載の通信システムにおいて使用される情報送信ユニットであって、
広告商品に関するホームページのホームページアドレスを予め記憶する記憶手段と、
物体の存在を認識する認識手段と、
前記認識手段が物体の存在を認識した場合、前記記憶手段に記憶されたホームページアドレスを一定時間だけ送信する送信手段と、
を具備することを特徴とする情報送信ユニット。
【請求項３】
前記認識手段は、
センサを具備し、このセンサからの情報に基づいて人の存在を認識し、
前記送信手段は、
前記認識手段によって存在が認識された人に対し前記記憶手段に記憶されたホームページアドレスを一定時間だけ送信する、
ことを特徴とする請求項２記載の情報送信ユニット。
【発明の詳細な説明】
【０００１】
【発明の属する技術分野】
本発明は、電話機に関する。
【０００２】
【従来の技術】
従来の電話機では、雑誌などの印刷物に印刷された電話番号に発信する場合や、その電話番号を電話機に登録する場合、電話番号をユーザが自分の目で確認しながら入力するようにしている。
また、従来の携帯電話機で、インターネットのホームページにアクセス可能なものにあっては、印刷されたホームページアドレスにアクセスする場合、そのホームページアドレスをユーザが自分の目で確認しながら入力するようにしている。
【０００３】
一方、自己の電話機の電話番号を他の電話機に登録する場合には、自己の電話番号を口頭で伝えるか、あるいは自己の電話機の表示部に表示させて相手に読み取ってもらうようにしている。
また、自己の電話機に登録済みの電話番号を他の電話機に登録したり、登録済みの電話番号に他の電話機で発信する場合も同様に、登録済みの電話番号を検索して表示部に表示させ、それを相手に口頭で伝えるか、あるいは読み取ってもらうようにしている。
【０００４】
このように、従来の電話機や携帯電話機では、印刷された電話番号やホームページアドレスを取り込む場合や、登録済みの電話番号を他の電話機に登録したり、登録済みの電話番号で発信したりする場合の全てにおいて人手を介している。
【０００５】
【発明が解決しようとする課題】
しかしながら、従来の電話機（携帯電話機を含む）においては、雑誌等に印刷された電話番号やホームページアドレスを登録する場合や、他の電話機との間で登録済みの電話番号やホームページアドレスの授受を行う場合の全てにおいて人手を介することになるので、これらの操作に手間と時間がかかり、また人手に依存することから情報の正確さを欠くという問題がある。
【０００６】
本発明はかかる点に鑑みてなされたものであり、雑誌等に印刷された電話番号やホームページアドレスに対して発信したり、これらを登録する場合や、登録済みの電話番号やホームページアドレスを他の電話機との間でやり取りする場合に、これらの操作を正確かつ短時間で行うことができる電話機を提供することを目的とする。
【０００７】
【課題を解決するための手段】
本発明の通信システムは、情報送信ユニットと電話機とからなる通信システムであって、前記情報送信ユニットは、予め記憶された、広告商品に関するホームページのホームページアドレスを物体の存在を認識した場合に一定時間だけ送信し、前記電話機は、受信開始を指示されたときのみ、前記広告商品に関するホームページのホームページアドレスを前記情報送信ユニットから受信し登録する受信手段と、予め登録されたアクセスポイントに発信し、前記アクセスポイントに接続する発信手段と、前記アクセスポイントに接続された後、前記アクセスポイントを介して、前記受信手段によって登録された前記広告商品に関するホームページにアクセスするアクセス手段と、を具備する構成を採る。
【００２６】
【発明の実施の形態】
以下、本発明の実施の形態について、図面を参照して詳細に説明する。
（実施の形態１）
図１は、本発明の実施の形態１に係る電話機の概略構成を示すブロック図である。
本実施の形態１の電話機１００は、センサ等の光学読取りセンサ（図示略）を有する番号情報読取り手段１０１と、この番号情報読取り手段１０１に読取り開始を指示する読取り開始手段１０２と、番号情報読取り手段１０１にて読取られたイメージ情報より電話番号やホームページアドレスを認識する番号情報認識手段１０３と、この番号情報認識手段１０３にて認識された電話番号又はホームページアドレスに発信する認識先発信手段１０４と、通話するための無線信号の送受信を行う無線送受信手段１０５と、を備えて構成されている。
【００２７】
番号情報読取り手段１０１の光学読取りセンサは、例えば電話機１００の本体下部に内臓されており、電話機１００の本体下部に開けられた図示せぬ孔（以下、センサ孔と呼ぶ）を通して光の検出を行う。読取り開始手段１０２は、電話機１００の操作パネルに設けられた図示せぬ読取開始キーが押下されたことを検出すると、番号情報読取り手段１０１に対して読取開始を指示する。認識先発信手段１０４は、番号情報認識手段１０３にて認識された情報が電話番号であれば、この電話番号に発信し、認識された情報がホームページアドレスであれば、このホームページアドレスにアクセスする。この場合、認識先発信手段１０４は、ホームページアドレスにアクセスする場合、予め登録されたプロバイダのアクセスポイントの電話番号又はダイヤル入力されたアクセスポイントの電話番号に発信し、接続が確立後に目的のホームページアドレスにアクセスすることになる。
【００２８】
ここで、図２は、電話機１００が、ポスター１５０に印刷された電話番号（０４５−○○○−××××）とホームページアドレス（ｈｔｔｐ：／／ｗｗｗ．ｘｘｘ．ｃｏ．ｊｐ）を読取る様子を示す図である。これら電話番号とホームページアドレスが電話機１００の番号情報読取り手段１０１にてイメージ情報として読取られる。
【００２９】
このように、本実施の形態１の電話機１００では、雑誌等に印刷された電話番号に発信する場合、読取り開始キーを操作した後に、電話機１００のセンサ孔の部分を読取りたい電話番号上に当てて、それをなぞるようにして電話機１００を移動させることにより、印刷された電話番号がイメージとして読取られ、そのイメージ情報より数字からなる実際の電話番号が認識されて発信が行われる。
【００３０】
また、印刷されたホームページアドレスにアクセスする場合は、同様にして読取開始キーを操作した後、ホームページアドレスをなぞるようにして電話機１００を移動させる。これにより、印刷されたホームページアドレスがイメージ情報として読取られて文字、数字、記号からなる実際のホームページアドレスが認識される。そして、電話機１００に予め登録されているプロバイダのアクセスポイントの電話番号又は現時点でダイヤル入力されたアクセスポイントの電話番号に発信が行われる。そして、プロバイダとの接続が確立した後、認識されたホームページアドレスにアクセスされる。
【００３１】
したがって、雑誌等に印刷された電話番号やホームページアドレスを電話機１００の読取り部分でなぞるだけで、電話番号やホームページアドレスをイメージ情報として取込んで電話番号やホームページアドレスを認識して発信又はアクセスすることから、印刷された電話番号やホームページアドレスに対して発信したりアクセスする場合にこれらの操作を正確かつ短時間で行うことができる。
なお、人間を検出するためのセンサとして、上記光学読取りセンサの他に、焦電センサでも良い。
【００３２】
（実施の形態２）
図３は本発明の実施の形態２に係る電話機の概略構成を示すブロック図である。なお、この図において前述した図１と共通する部分には同一の符号を付けてその説明を省略する。
【００３３】
本実施の形態２の電話機１００Ａは、上述した実施の形態１の電話機１００と同様の構成の他に、認識情報登録手段１０６と番号情報記憶手段１０７を有するものである。
認識情報登録手段１０６は、番号情報認識手段１０３で認識された電話番号やホームページアドレスを番号情報記憶手段１０７に記憶させるものである。
【００３４】
このように、本実施の形態２の電話機１００Ａでは、認識した電話番号又はホームページアドレスを容易に且つ正確に登録することができる。
なお、番号情報記憶手段１０７としては、一般的に電話機に設けられている電話番号登録用の内蔵メモリで兼用しても良く、この内臓メモリとは別個のものとしても良い。
また、番号情報記憶手段１０７に電話番号やホームページアドレスを記憶させることで、好きな時に電話をかけたり、ホームページにアクセスしたりすることが可能になる。
【００３５】
（実施の形態３）
図４は本発明の実施の形態３に係る電話機の概略構成を示すブロック図である。
本実施の形態３の電話機２００は、上述した実施の形態１、実施の形態２の電話機１００、１００Ａと同様の構成の他に、自番号送出起動手段２０１、自番号送出手段２０２、自番号記憶手段２０３及び情報伝送インタフェース２０４を有するものである。
【００３６】
自番号送出起動手段２０１は、電話機２００の操作パネルに設けられた図示せぬ自番号送出キーが押下されたことを検出すると、自番号送出手段２０２に対して自電話番号送出開始を指示する。自番号記憶手段２０３は、電話機２００に割当てられた電話番号即ち自電話番号を記憶するものである。
【００３７】
自番号送出手段２０２は、自番号送出起動手段２０１より自番号送出開始信号が供給されることで、自番号記憶手段２０３に記憶されている自電話番号を読出して情報伝送インタフェース２０４に供給する。情報伝送インタフェース２０４は、赤外光を利用して外部に対して情報の伝送を行うものであり、自番号送出手段２０２より供給される自電話番号を外部に送出する。なお、送出された自電話番号を受信するものが例えば電話機であるとすると、その電話機は、本実施形態３の電話機２００の情報伝送インタフェース２０４と同様のものを有する必要があることは言うまでもない。また、自電話番号を受信するものが、パソコンやＰＤＡ（パーソナル・デジタル・アシスタンス）等の情報機器である場合も当然ながら情報伝送インタフェース２０４と同様のものを有する必要がある。
【００３８】
このように、本実施の形態３の電話機２００では、自電話番号を送出することができるので、自電話番号の他の電話機への登録を容易に且つ正確に行うことができる。また、パソコンやＰＤＡ等の情報機器の住所録ファイル等への登録においても容易に且つ正確に行うことができる。
なお、上記自番号送出手段２０２は、例えば電話機２００がＰＨＳ（パーソナル・ハンディフォン・システム）機であれば、ＰＨＳ機の有するトランシーバ機能を利用して自電話番号を送信する。
【００３９】
（実施の形態４）
図５は本発明の実施の形態４に係る電話機の概略構成を示すブロック図である。
本実施の形態４の電話機２００Ａは、上述した実施の形態３の電話機２００と同様の構成の他に、登録番号送出起動手段２０５、登録番号送出手段２０６及び他番号記憶手段２０７を有するものである。なお、当然ながら本実施の形態４の登録番号送出起動手段２０５、登録番号送出手段２０６及び他番号記憶手段２０７を、実施形態１の電話機１００又は実施形態２の電話機１００Ａに設けても良い。
【００４０】
他番号記憶手段２０７は、自電話番号以外の電話番号即ち他の電話機の電話番号を記憶するものである。登録番号送出手段２０６は、登録番号送出起動手段２０５より起動信号が供給されることで、他番号記憶手段２０７に記憶されている他の電話機の電話番号を読出して情報伝送インタフェース２０４に供給する。情報伝送インタフェース２０４は、登録番号送出手段２０６より供給される電話番号を外部に送出する。
【００４１】
このように、本実施の形態４の電話機２００Ａでは、登録済みの電話番号を他の電話機に送出することができるので、登録済電話番号の他の電話機への登録を容易に且つ正確に行うことができる。また、パソコンやＰＤＡ等の情報機器の住所録ファイル等への登録に対しても容易に且つ正確に行うことができる。
なお、上記登録番号送出手段２０６は、例えば電話機２００ＡがＰＨＳ機であれば、ＰＨＳ機の有するトランシーバ機能を利用して他電話番号を送信する。
【００４２】
（実施の形態５）
図６は本発明の実施の形態５に係る電話機の概略構成を示すブロック図である。
本実施の形態５の電話機３００は、上述した実施形態３の電話機２００又は実施形態４の電話機２００Ａのいずれか一方と同様の構成の他に、番号情報受信起動手段３０１、番号情報受信手段３０２及び受信番号宛発信手段３０３を有するものである。なお、当然ながら、本実施の形態５の番号情報受信起動手段３０１、番号情報受信手段３０２及び受信番号宛発信手段３０３を、上述した実施形態１の電話機１００又は実施形態２の電話機１００Ａに設けても良い。
【００４３】
番号情報受信起動手段３０１は、図示せぬ受信開始キーが押されたことを検出することで、番号情報受信手段３０２に受信開始信号を供給する。番号情報受信手段３０２は、番号情報受信起動手段３０１より受信開始信号が供給されると、他の電話機等の外部機器からの情報を受信して受信番号宛発信手段３０３に供給する。受信番号宛発信手段３０３は、番号情報受信手段３０２より供給された情報に対して発信を行う。この場合、当該情報が電話番号であれば、その電話番号に発信する。また、当該情報がホームページアドレスであれば、予め登録されたプロバイダのアクセスポイントの電話番号又はダイヤル入力されたアクセスポイントの電話番号に発信し、接続確立後に目的のホームページアドレスにアクセスする。
【００４４】
このように、本実施の形態５の電話機３００では、他の電話機等の外部機器より送出された情報を受信して発信を行うので、自己の電話機に他の電話機の電話番号やホームページアドレスを手動入力する場合と較べて容易に且つ正確に入力することができる。
なお、上記番号情報受信手段３０２は、例えば電話機３００がＰＨＳ機であれば、ＰＨＳ機の有するトランシーバ機能を利用して他の帯電話機等の外部機器より送出された電話番号又はホームページアドレスを受信する。
【００４５】
（実施の形態６）
図７は本発明の実施の形態６に係る電話機の概略構成を示すブロック図である。
本実施の形態６の電話機３００Ａは、上述した実施の形態５の電話機３００と同様の構成の他に、受信番号登録手段３０４と受信番号記憶手段３０５を有するものである。
【００４６】
受信番号登録手段３０４は、番号情報受信手段３０２で受信された他の電話機の電話番号と相手先名を受信番号記憶手段３０５に記憶させる。
このように、本実施の形態６の電話機３００Ａでは、受信した他の電話機の電話番号や相手先名を容易に且つ正確に登録することができる。
【００４７】
（実施の形態７）
図８は本発明の実施の形態７に係る番号情報送出ユニットの概略構成を示すブロック図である。
本実施の形態７の番号情報送出ユニット４００は、番号情報送出手段４０１と、番号情報記憶手段４０２と、情報伝送インタフェース４０３とを備えて構成されている。
【００４８】
番号情報記憶手段４０２には電話機の電話番号と相手先名又はホームページアドレスが記憶される。番号情報送出手段４０１は、情報伝送インタフェース４０３を用いて、番号情報記憶手段４０２に記憶されている電話番号と相手先名又はホームページアドレスを外部に送出する。情報伝送インタフェース４０３は、上述した情報伝送インタフェース２０４と同様に、赤外光を利用して外部に対して情報の伝送を行うものである。
【００４９】
本実施の形態７の番号情報送出ユニット４００を、例えばポスターや看板等と一緒に街頭に設置したり、電車の吊り広告と一緒に設置したりすることにより、例えば上述した実施形態５及び実施形態６の電話機３００、３００Ａに対して登録済みの電話番号とその相手先名（この場合は広告主名）又はホームページアドレスを送出することができる。すなわち、近くに存在する電話機に対して、登録した電話番号とその相手先名又はホームページアドレスを容易に且つ正確に転送／登録することができる。
【００５０】
ここで、図９は、実施の形態５の電話機３００によって、ポスター１６０に設けた番号情報送出ユニット４００より電話番号（０４５−○○○−××××）とホームページアドレス（ｈｔｔｐ：／／ｗｗｗ．ｘｘｘ．ｃｏ．ｊｐ）を読取りる様子を示す図である。
番号情報送出ユニット４００から送出された電話番号とホームページアドレスが電話機３００の番号情報受信手段３０２にて受信される。なお、電話機３００は、自電話番号を送出する自番号送出手段２０２を有する電話機２００より送出される自電話番号を受信できる他、登録番号を送出する登録番号送出手段２０６を有する電話機２００Ａより送出される登録電話番号も受信することができる。
【００５１】
（実施の形態８）
図１０は本発明の実施の形態８に係る番号情報送出ユニットの概略構成を示すブロック図である。なお、この図において上述した図８と共通する部分には同一に符号を付けてその説明を省略する。
【００５２】
本実施の形態８の番号情報送出ユニット４００Ａは、上述した実施の形態７の電話機４００と同様の構成の他に、物品認識手段４０４と認識時送出起動手段４０５を有するものである。
物品認識手段４０４は、図示せぬセンサを有して構成され、このセンサからの画像情報に基づいて物や人間の存在を認識する。認識時送出起動手段４０５は、物品認識手段４０４にて人や物が認識されることで起動し、番号情報記憶手段４０２に記憶されている電話番号と相手先名又はホームページアドレスを読出して情報伝送インタフェース４０３に供給する。この場合、認識時送出起動手段４０５は、起動してから一定時間だけ動作する。
【００５３】
本実施の形態８の番号情報送出ユニット４００Ａを、上述した実施の形態７の番号情報送出ユニット４００と同様に、例えばポスターや看板等と一緒に街頭に設置したり、電車の吊り広告と一緒に設置したりすることにより、例えば上述した実施形態５の電話機３００又は実施形態６の電話機３００Ａに対して登録済みの電話番号とその相手先名（この場合は広告主名）又はホームページアドレスを転送することができる。この場合、人や物が物品認識手段４０４に認識された時から一定時間だけ、登録した電話番号とその相手先名又はホームページアドレスを送出するので、電力消費を最小限に抑えることができる。
なお、上記各実施の形態１〜実施の形態８では、番号情報として電話番号とホームページを扱ったが、これら以外の番号情報も扱うようにしても良い。
【００５４】
【発明の効果】
以上説明したように、本発明によれば、雑誌等に印刷された電話番号やホームページアドレスに対して、人手を介さずに当該番号に発信や登録ができる。また、電話機に登録済みの番号を容易に送出することができ、番号情報の円滑なやり取りが可能となる。また、街頭広告や電車の中吊り広告等に番号情報送出ユニットを用いることにより、より広く正確に該当商品に対するアクセス電話番号やホームページアドレスを広告することができる。
【図面の簡単な説明】
【図１】本発明の実施の形態１に係る電話機の概略構成を示すブロック図
【図２】実施の形態１に係る電話機の使用の一例を示す図
【図３】本発明の実施の形態２に係る電話機の概略構成を示すブロック図
【図４】本発明の実施の形態３に係る電話機の概略構成を示すブロック図
【図５】本発明の実施の形態４に係る電話機の概略構成を示すブロック図
【図６】本発明の実施の形態５に係る電話機の概略構成を示すブロック図
【図７】本発明の実施の形態６に係る電話機の概略構成を示すブロック図
【図８】本発明の実施の形態７に係る番号情報送出ユニットの概略構成を示すブロック図
【図９】実施の形態７に係る番号情報送出ユニットの使用の一例を示す図
【図１０】本発明の実施の形態８に係る番号情報送出ユニットの概略構成を示すブロック図
【符号の説明】
１００、１００Ａ、２００、２００Ａ、３００、３００Ａ  電話機
１０１  番号情報読取り手段
１０２  読取り開始手段
１０３  番号情報認識手段
１０４  認識先発信手段
１０５  無線送受信手段
１０６  認識情報登録手段
１０７  番号情報記憶手段
２０１  自番号送出起動手段
２０２  自番号送出手段
２０３  自番号記憶手段
２０４  情報伝送インタフェース
２０５  登録番号送出起動手段
２０６  登録番号送出手段
２０７  他番号記憶手段
３０１  番号情報受信起動手段
３０２  番号情報受信手段
３０３  受信番号宛発信手段
３０４  受信番号登録手段
３０５  受信番号記憶手段
４００、４００Ａ  番号情報送出ユニット
４０１  番号情報送出手段
４０２  番号情報記憶手段
４０３  情報伝送インタフェース
４０４  物品認識手段
４０５  認識時送出起動手段
【図１】
0003585030.tif 000002
【図２】
0003585030.tif 000003
【図３】
0003585030.tif 000004
【図４】
0003585030.tif 000005
【図５】
0003585030.tif 000006
【図６】
0003585030.tif 000007
【図７】
0003585030.tif 000008
【図８】
0003585030.tif 000009
【図９】
0003585030.tif 000010
【図１０】
0003585030.tif 000011